(57)【要約】【課題】通常の墓地に配置される墓を丸ごとパッケージ化して移動可能にすることにより、遺族の居る場所を問わず墓参することを可能とし、遺族の経済的負担や管理負担を減らすことが可能な可搬式墓の提供。【解決手段】仕切板２ａにより複数の区画に分けられた収納空間７を有する箱状の筐体２と、収納空間７の各区画に収納可能な骨壺、墓標９、位牌１０および香炉１１と、墓標９および香炉１１を載置するための載置台４，５であり、収納空間７を塞ぐ機能を兼ねた載置台４，５と、筐体２の収納空間７全体を覆い塞ぐ蓋体３とを備えた可搬式墓１であり、筐体２および載置台４，５と、この載置台４，５上に載置する墓標９および香炉１１と、位牌１０と、筐体２内の収納空間７に収納した骨壺とにより、通常の墓地に配置される墓と同様の墓が構成され、また通常の墓地の全てを丸ごとパッケージ化した包装体１ａが形成される。【選択図】  図１
2006288421.tif 000002
【特許請求の範囲】
【請求項１】
仕切板により複数の区画に分けられた収納空間を有する箱状の筐体と、
前記収納空間の各区画に収納可能な骨壺、墓標、位牌および香炉と、
前記墓標および香炉を載置するための載置台であり、前記収納空間を塞ぐ機能を兼ねた載置台と、
前記筐体の収納空間全体を前記載置台を含めて覆い塞ぐことにより包装体を形成する蓋体と
を備えた可搬式墓。
【請求項２】
さらに前記収納空間の区画に収納可能な花瓶を備え、
前記載置台は、前記花瓶を差し込んで固定する花瓶固定部を備えたものである
請求項１記載の可搬式墓。
【請求項３】
前記蓋体は、前記筐体に対して開閉可能に支持され、裏面には背景画像が描かれたものである請求項１または２に記載の可搬式墓。
【請求項４】
さらに、前記包装体内に収納可能な供え物用の台を備えた請求項１から３のいずれかに記載の可搬式墓。
【請求項５】
前記蓋体の裏面に、前記位牌を複数差し込んで固定することが可能な位牌固定部を備えた請求項１から４のいずれかに記載の可搬式墓。
【請求項６】
さらに、宅配用の荷札を挿入可能なポケットを有し前記包装体の蓋体が開かないように固定するコルセット状のバンドを備えた請求項１から５のいずれかに記載の可搬式墓。
【発明の詳細な説明】
【技術分野】
【０００１】
本発明は、移動可能な可搬式の墓に関する。
【背景技術】
【０００２】
人間が死亡すると火葬され、通常は本人の意思とは無関係に、遺族により墓地または納骨堂などへ埋葬される。しかしながら、都会では分譲墓地も少なく、高額であるため、遺族の経済的負担や、墓地または納骨堂の管理負担が問題となる。また、近年では、宗教離れや先祖供養の慣習が稀有となり、無縁墓地が多くなっているという現実がある。
【０００３】
遺族の管理負担を減らすものとしては、例えば特許文献１に記載のものが知られている。特許文献１には、室内墓地に多数の納骨壇を安置可能にするために祭壇を階段形状とし、参拝者のＩＤカードの認識により室内墓地の出入ドアの開閉や目的納骨壇の内部照明の点灯等の設備制御および運用管理を行うことが可能な室内墓地システムが記載されている。
【０００４】
また、例えば、特許文献２には、神棚、佛壇、墓石が、別々の場所に設けられていたものを、トランク型祭壇の中に一体化し、一年中の祭事がすべて行えるようにした祭壇が記載されている。この祭壇は、前半分を、１８０度観音開きにして固定し、中央に墓、左右に神、佛の祭壇を設けている。また、この祭壇には、キャスタおよびハンドルが設けられており、持ち運びや移動が簡単に行える。
【０００５】
【特許文献１】特開平１１−６２３１９号公報
【特許文献２】特開２０００−１３９６８０号公報
【発明の開示】
【発明が解決しようとする課題】
【０００６】
上記特許文献１に記載の室内墓地システムでは、確かに少ない土地に多数の遺骨を埋葬することができ、またＩＤカードにより管理を簡単にすることができるが、遠方に住んでいる遺族はなかなか墓参することができないという問題がある。
【０００７】
また、特許文献２に記載のトランク型祭壇は、墓石を含むが、単に墓石のみを神棚および佛壇と一体化して手元に置いておき、一年中の祭事をすべて行えるようにしただけである。すなわち、このトランク型祭壇は一年中家の中に置かれていることになり、キャスタおよびハンドルにより家の中を移動することができるものの、狭い家ではその置き場所に困ることになる。
【０００８】
そこで、本発明においては、通常の墓地に配置される墓を丸ごとパッケージ化して移動可能にすることにより、遺族の居る場所を問わず墓参することを可能とし、遺族の経済的負担や管理負担を減らすことが可能な可搬式墓を提供することを目的とする。
【課題を解決するための手段】
【０００９】
本発明の可搬式墓は、仕切板により複数の区画に分けられた収納空間を有する箱状の筐体と、収納空間の各区画に収納可能な骨壺、墓標、位牌および香炉と、墓標および香炉を載置するための載置台であり、収納空間を塞ぐ機能を兼ねた載置台と、筐体の収納空間全体を載置台を含めて覆い塞ぐことにより包装体を形成する蓋体とを備えたものである。
【００１０】
本発明の可搬式墓によれば、筐体および載置台と、この載置台上に載置する墓標および香炉と、位牌と、筐体内の収納空間に収納した骨壺とにより、通常の墓地に配置される墓と同様の墓が構成される。この可搬式墓は、収納空間全体を載置台を含めて覆い塞ぐ蓋体により骨壺、墓標、位牌および香炉を含む通常の墓地の全てを丸ごとパッケージ化した包装体が形成される。
【００１１】
本発明の可搬式墓は、さらに収納空間の区画に収納可能な花瓶を備え、載置台は、花瓶を差し込んで固定する花瓶固定部を備えたものであることが望ましい。これにより、収納空間の区画に花瓶を収納した状態で宅配することができる。また、墓として使用するときには、載置台に花瓶を差し込んで花を差すことができる。
【００１２】
蓋体は、筐体に対して開閉可能に支持され、裏面には背景画像が描かれたものであることが望ましい。これにより、蓋体を開けば、その裏面に描かれた背景画像が表れる。また、蓋体を閉じれば包装体が形成される。
【００１３】
本発明の可搬式墓は、さらに、包装体内に収納可能な供え物用の台を備えることが望ましい。これにより、墓として使用する際、筐体上の載置台の他に供え物用の台が備わる。
【００１４】
また、蓋体の裏面には、位牌を複数差し込んで固定することが可能な位牌固定部を備えることが望ましい。これにより、収納区間の各区画に収納する骨壺が複数であっても、それぞれの骨壺に対応する位牌を蓋体の裏面に差し込んで固定することができる。
【００１５】
さらに、宅配用の荷札を挿入可能なポケットを有し包装体の蓋体が開かないように固定するコルセット状のバンドを備えることが望ましい。これにより、可搬式墓の宅配時には、ポケットに宅配用の荷札を挿入したコルセット状のバンドで固定するだけでそのまま宅配することができる。
【発明の効果】
【００１６】
（１）仕切板により複数の区画に分けられた収納空間を有する箱状の筐体と、収納空間の各区画に収納可能な骨壺、墓標、位牌および香炉と、墓標および香炉を載置するための載置台であり、収納空間を塞ぐ機能を兼ねた載置台と、筐体の収納空間全体を載置台を含めて覆い塞ぐことにより包装体を形成する蓋体とを備えた可搬式墓により、骨壺、墓標、位牌および香炉を含む通常の墓地に配置される墓と同様の墓が丸ごとパッケージ化された包装体が得られる。この可搬式墓は、不必要時には包装体のまま保管所において保管、管理しておき、必要時のみ包装体のまま遺族の居る場所へ宅配することにより、遺族は居る場所を問わず墓参することが可能となる。また、墓参後は、可搬式墓を包装体として保管所へ送り返し、保管所で保管、管理することができる。これにより、遺族の経済的負担や管理負担を減らすことが可能となる。
【００１７】
（２）さらに収納空間の区画に収納可能な花瓶を備え、載置台は、花瓶を差し込んで固定する花瓶固定部を備えたものであることにより、収納空間の区画に花瓶を収納した状態で宅配することができるとともに、墓として使用するときには、この花瓶を載置台に固定し、花を差して墓参することが可能となる。
【００１８】
（３）蓋体が、筐体に対して開閉可能に支持され、裏面には背景画像が描かれたものであることにより、墓として使用するときには、蓋体の裏面に描かれた背景画像が表れるので、この背景画像に応じた雰囲気で墓参することが可能となる。
【００１９】
（４）さらに、包装体内に収納可能な供え物用の台を備えることにより、墓として使用する際、筐体上の載置台の他に供え物用の台が備わるので、多くの供え物を置いて墓参することが可能となる。
【００２０】
（５）蓋体の裏面に、位牌を複数差し込んで固定することが可能な位牌固定部を備えることにより、収納区間の各区画に収納する骨壺が複数であっても、それぞれの骨壺に対応する位牌を蓋体の裏面に差し込んで固定して墓参することができる。
【００２１】
（６）さらに、宅配用の荷札を挿入可能なポケットを有し包装体の蓋体が開かないように固定するコルセット状のバンドを備えることにより、可搬式墓の宅配時には、ポケットに宅配用の荷札を挿入したコルセット状のバンドで固定するだけでそのまま宅配することが可能となり、宅配時の梱包作業が容易となる。
【発明を実施するための最良の形態】
【００２２】
図１は本発明の実施の形態における可搬式墓の斜視図、図２は図１の可搬式墓を分解した状態を示す斜視図、図３は図１の可搬式墓の収納状態を示す斜視図、図４は図１の可搬式墓の墓としての使用状態を示す斜視図である。
【００２３】
図１から図３に示すように、本発明の実施の形態における可搬式墓１は、箱状の筐体２と、蓋体３と、複数の載置台４，５，６とを備える。筐体２は、仕切板２ａにより複数の区画に分けられた収納空間７を有する。また、可搬式墓１は、この各収納空間７に収納可能な骨壺８、墓標９、位牌１０、香炉１１および花瓶１２等を備える。また、蓋体３の裏側には、掛け軸１３および写真１４を備える。
【００２４】
骨壺８には故人の遺骨を収納する。墓標９および位牌１０には、それぞれ故人の名字や名前などを入れることができる。蓋体３の裏面には、位牌１０を複数差し込んで固定することが可能な位牌固定部３ａが形成されている。掛け軸１３は、例えば、宗派に応じた仏像が描かれたものとすることができる。また、写真１４は、例えば、故人のものとすることができる。なお、蓋体３の裏面に、海、山、花壇等の背景画像を自由に描くことが可能である。
【００２５】
蓋体３は、筐体２の開口部である収納空間７全体を載置台４，５，６を含めて覆い塞ぐことにより、図３に示す包装体１ａ（可搬式墓１）を形成する。なお、蓋体３は、筐体２に対してヒンジ（図示せず。）により開閉可能に支持されており、収納空間７側に倒すことにより筐体２の開口部を閉じることができる。このとき、蓋体３は、可搬式墓１に付属する骨壺８、墓標９、位牌１０、香炉１１および花瓶１２を全て収納空間７に収納した状態で収納空間７全体を覆い塞ぐことができる。なお、蓋体３は、位牌１０、掛け軸１３および写真１４を蓋体３の裏側に配置したまま包装体１ａを形成することも可能である。
【００２６】
収納空間７の各区画の大きさは、各区画に収納する骨壺８、墓標９、位牌１０、香炉１１および花瓶１２等の形状に応じて任意に設定することが可能であるが、包装体１ａの状態で輸送する際に各区画に収納したものが移動しない程度の大きさとするのが好ましい。また、仕切板２ａは、組立式として各区画の大きさを任意に変更できる構成とするのが好ましい。
【００２７】
載置台４は、墓標９を載置する部分であり、収納空間７のうち蓋体３を支持するヒンジ側の半分を塞ぐ蓋の機能を兼ね備える。また、載置台５は、香炉１１および花瓶１２を載置する部分であり、収納空間７のうち残り半分を塞ぐ蓋の機能を備える。載置台４と載置台５とは、収納空間７を塞いだ状態で載置台４側の方が載置台５よりも高くなるように形成されている。
【００２８】
また、載置台５には、花瓶１２を差し込んで固定する花瓶固定部５ａが左右に２カ所形成されている。花瓶１２には、供え物としての花１５を入れることができる。載置台６は、その他の供え物１６ａ，１６ｂ，１６ｃ用の台である。載置台６は、収納状態では、載置台５の上に配置する。なお、載置台６は、筐体２の手前に配置した際、その奥の載置台５よりも低くなるように形成されている。
【００２９】
上記構成の可搬式墓１によれば、筐体２および載置台４，５，６と、この載置台４，５上に載置される墓標９および香炉１１と、蓋体３の裏面に固定された位牌１０と、筐体２内の収納空間７に収納された骨壺８とにより、通常の墓地に配置される墓と同様の墓が構成される。また、この可搬式墓１は、不使用状態では、収納空間７全体を載置台４，５，６を含めて覆い塞ぐ蓋体３により骨壺８、墓標９、位牌１０および香炉１１を含む全てを丸ごとパッケージ化した包装体１ａが形成される。
【００３０】
したがって、この可搬式墓１は、不必要時には包装体１ａのまま保管所において保管、管理しておき、必要時のみ包装体１ａのまま遺族の居る場所へ宅配することにより、遺族は居る場所を問わず墓参することが可能となる。また、墓参後は、可搬式墓１を包装体１ａとして保管所へ送り返し、保管所で保管、管理することができる。これにより、遺族の経済的負担や管理負担を減らすことが可能である。
【００３１】
また、本実施形態においては、蓋体３が、筐体２に対して開閉可能に支持され、裏面には背景画像が描かれたものであることにより、墓として使用するときには、蓋体３の裏面に描かれた背景画像が表れるので、この背景画像に応じた雰囲気で墓参することが可能である。さらに、包装体１ａ内に収納可能な供え物用の載置台６を備えるので、墓として使用する際、多くの供え物を置いて墓参することが可能である。
【００３２】
また、本実施形態における可搬式墓１は、収納空間７に複数の骨壺８を収納することができ、蓋体３裏面に、複数の位牌１０を差し込んで固定することが可能であるため、複数の故人にも対応することができる。
【００３３】
なお、本実施形態における可搬式墓１は、図５（ｃ）に示すように、包装体１ａの蓋体３が開かないように固定するコルセット状のバンド１７を備える。このバンド１７は、宅配用の荷札を挿入可能なポケット１８を有する長帯状のゴムバンドである。このバンド１７は、図５の（ａ）に示すように、包装体１ａの蓋体３をロック機構１９により固定した後、同図（ｂ）に示すように包装体１ａに巻いて使用する。可搬式墓１の宅配時には、このポケット１８に宅配用の荷札を挿入し、バンド１７で固定するだけでそのまま宅配することが可能であり、宅配時の梱包作業は容易である。
【００３４】
また、この可搬式墓１（包装体１ａ）は、スーツケース状の直方体形状であるため、保管所においては、図６に示すように棚２０に整然と並べて保管することが可能である。したがって、保管所での保管、管理が容易であり、また保管所の面積が小さくて済むので、保管・管理費を低く抑えることが可能である。なお、本実施形態における包装体１ａの１個当たりの大きさは、横４４０ｍｍ、縦３００ｍｍ、高さ１３０ｍｍであるが、この大きさは任意に設定することが可能である。
【産業上の利用可能性】
【００３５】
本発明の移動式墓は、移動可能な可搬式の墓として有用であり、特に通常の墓地に配置される墓を丸ごとパッケージ化して移動可能にすることにより、遺族の居る場所を問わず墓参することを可能とし、遺族の経済的負担や管理負担を減らすことが可能な可搬式墓として好適である。
【図面の簡単な説明】
【００３６】
【図１】本発明の実施の形態における可搬式墓の斜視図である。
【図２】図１の可搬式墓を分解した状態を示す斜視図である。
【図３】図１の可搬式墓の収納状態を示す斜視図である。
【図４】図１の可搬式墓の墓としての使用状態を示す斜視図である。
【図５】（ａ）はバンドにより固定する包装体を示す斜視図、（ｂ）はバンドの斜視図、（ｃ）は包装体をバンドにより固定した状態を示す斜視図である。
【図６】包装体の保管状態を示す斜視図である。
【符号の説明】
【００３７】
１  可搬式墓
１ａ  包装体
２  筐体
２ａ  仕切板
３  蓋体
３ａ  位牌固定部
４，５，６  載置台
５ａ  花瓶固定部
７  収納空間
８  骨壺
９  墓標
１０  位牌
１１  香炉
１２  花瓶
１３  掛け軸
１４  写真
１５  花
１６ａ，１６ｂ，１６ｃ  供え物
１７  バンド
１８  ポケット
１９  ロック機構
２０  棚
【図１】
2006288421.tif 000003
【図２】
2006288421.tif 000004
【図３】
2006288421.tif 000005
【図５】
2006288421.tif 000006
【図６】
2006288421.tif 000007
【図４】
2006288421.tif 000008